(57)【要約】【課題】非常時に非常用規制解除部材を操作して外扉を開放した後の復旧作業を容易に行うことのできる自動販売機を提供する。【解決手段】非常用係合解除レバー３４を外部から操作するために、開口部２２ａが開放するようにパネル２２ｂを移動可能に支持するようにしたので、パネル２２ｂを破損させることなく開口部２２ａを開放して開口部２２ａから非常用係合解除レバー３４を操作することができ、非常用係合解除レバー３４によって外扉２０を開放した後の復旧作業を容易に行うことが可能となる。【選択図】図８
2008003845.tif 000002
【特許請求の範囲】
【請求項１】
前面に開口部を有する自動販売機本体と、自動販売機本体の開口部を開閉する外扉と、自動販売機本体の開口部を閉鎖した状態で外扉の開放方向への移動を規制する扉開放規制手段と、外扉に設けられた錠を解錠することで操作が可能となるように設けられ、扉開放規制手段の外扉の開放方向への移動の規制を解除する規制解除部材とを備えた自動販売機において、
前記外扉に設けられた開口部を介して外部から操作可能に設けられ、規制解除部材を操作することなく扉開放規制手段の外扉の開放方向への移動の規制を解除可能な非常用規制解除部材と、
開口部を閉鎖するパネルと、
非常用規制解除部材を外部から操作するために、開口部の少なくとも一部が開放されるようにパネルを移動可能に支持するパネル支持手段とを備えた
ことを特徴とする自動販売機。
【請求項２】
前記パネル支持手段を、パネルの上端側が係合するように設けられ、パネルの上端側を外扉の内側に移動させることによりパネルとの係合を解除可能な第１の支持部と、パネルの下端側が係合するように設けられた第２の支持部とから構成した
ことを特徴とする請求項１記載の自動販売機。
【請求項３】
前記第１の支持部を、外扉に回転自在に連結され、パネルの背面側に外扉の内側から当接可能な当接部材と、当接部材を外扉の内側から外側に向かって付勢する付勢部材とから構成した
ことを特徴とする請求項２記載の自動販売機。
【請求項４】
前記第２の支持部を、パネルの下端側を下方から支持するパネル受け部材と、パネルの背面側に外扉の内側から当接可能な当接部材と、当接部材を外扉の内側から外側に向かって付勢する付勢部材とから構成した
ことを特徴とする請求項２または３記載の自動販売機。
【請求項５】
前記第２の支持部を、パネルの下端側を挿入可能なパネル受け部材と、パネル受け部材を外扉に回転自在に連結する蝶番とから構成した
ことを特徴とする請求項２または３記載の自動販売機。
【請求項６】
前記パネル支持手段を、開口部が設けられた外扉の面に沿ってスライド自在にパネルの上端側及び下端側をそれぞれ支持する一対の支持部から構成した
ことを特徴とする請求項１記載の自動販売機。
【請求項７】
前記パネル支持手段を、パネルの上下両端または左右両端を係止可能に設けられ、パネルを上方または左右一方に移動させることによりパネルとの係合を解除可能な一対の係止部から構成した
ことを特徴とする請求項１記載の自動販売機。
【発明の詳細な説明】
【技術分野】
【０００１】
本発明は、開口部を有する自動販売機本体に回転自在に支持され、開口部を開閉する外扉を備えた自動販売機に関するものである。
【背景技術】
【０００２】
従来、この種の自動販売機としては、前面に開口部を有する自動販売機本体と、自動販売機本体の開口部を開閉する外扉と、自動販売機本体の開口部を閉鎖した状態で外扉の開放方向への移動を規制する扉開放規制手段と、外扉に設けられた錠を解錠することで操作が可能となるように設けられ、扉開放規制手段の外扉の開放方向への移動の規制を解除する規制解除部材とを備えたものが知られている（例えば、特許文献１参照）。
【０００３】
ところで、大規模な災害が発生して電気、ガス、水道などのライフラインが停止するような非常時には、飲料及び食料を被災者に早急に提供する必要がある。このような場合に、自動販売機本体内に収納された飲料及び食料を被災者に提供することが考えられる。しかし、前記自動販売機では、停電時に金銭を投入しても商品を購入することはできないし、扉を開放する場合には鍵が必要となるため、自動販売機本体内に収納された飲料及び食料を被災者に速やかに提供できないという問題点がある。
【０００４】
そこで、非常時に自動販売機本体内の飲料及び食料を速やかに取出すことができる自動販売機として、外扉に設けられた商品サンプル室や広告表示部など、合成樹脂製のパネルによって閉鎖された開口部を介して外部から操作可能に設けられ、規制解除部材を操作することなく扉開放規制手段の外扉の開放方向への移動の規制を解除可能な非常用規制解除部材を備え、パネルの所定箇所を破損させて開口部を開放し、非常用規制解除部材を操作して外扉を開けることができるようにしたものがある。
【特許文献１】特開２０００−１４９１２０号公報
【発明の開示】
【発明が解決しようとする課題】
【０００５】
しかしながら、非常時に自動販売機本体内の飲料及び食料を速やかに取出すことができる自動販売機では、非常時に飲料及び食料を取出す場合に、パネルを破損させることにより開口部を解放し、非常用規制解除部材を操作して外扉を開けているため、通常の運転状態に復旧するためには交換用の新しいパネルが必要となるとともに、ネジ止め等によって取付けられたパネルの交換作業が煩雑になる。
【０００６】
本発明の目的とするところは、非常時に非常用規制解除部材を操作して外扉を開放した後の復旧作業を容易に行うことのできる自動販売機を提供することにある。
【課題を解決するための手段】
【０００７】
本発明は前記目的を達成するために、前面に開口部を有する自動販売機本体と、自動販売機本体の開口部を開閉する外扉と、自動販売機本体の開口部を閉鎖した状態で外扉の開放方向への移動を規制する扉開放規制手段と、外扉に設けられた錠を解錠することで操作が可能となるように設けられ、扉開放規制手段の外扉の開放方向への移動の規制を解除する規制解除部材とを備えた自動販売機において、前記外扉に設けられた開口部を介して外部から操作可能に設けられ、規制解除部材を操作することなく扉開放規制手段の外扉の開放方向への移動の規制を解除可能な非常用規制解除部材と、開口部を閉鎖するパネルと、非常用規制解除部材を外部から操作するために、開口部の少なくとも一部が開放されるようにパネルを移動可能に支持するパネル支持手段とを備えている。
【０００８】
これにより、開口部の少なくとも一部を解放可能にパネルが移動可能に支持されることから、パネルを破損させることなく開口部を解放し、開口部から非常用規制解除部材の操作が可能となる。
【発明の効果】
【０００９】
本発明によれば、パネルを破損させることなく開口部を開放して開口部から非常用規制解除部材の操作が可能となるので、非常用規制解除部材によって外扉を開放した後の復旧作業を容易に行うことが可能となる。
【発明を実施するための最良の形態】
【００１０】
図１乃至図１３は本発明の第１の実施形態を示すもので、図１は自動販売機の全体斜視図、図２は外扉の開閉動作を示す自動販売機の全体斜視図、図３は係合解除部材及びスライド板を示す要部正面図、図４は係合解除部材及びスライド板を示す要部側面断面図、図５は非常用係合解除レバー及びスライド板を示す要部正面断面図、図６は非常用係合解除レバー及びスライド板を示す要部側面断面図、図７は非常用係合解除レバーの収納状態を示す自動販売機の要部斜視図、図８は広告表示部の側面断面図、図９はハンドルによる扉係止部材とスライド板との係合の解除動作を示す係合解除部材及びスライド板の要部正面図、図１０は広告表示部の開口部を開放する動作を示す要部側面断面図、図１１は非常用係合解除レバーによる扉係止部材とスライド板との係合の解除動作を示す自動販売機の要部斜視図、図１２は非常用係合解除レバーによる扉係止部材とスライド板との係合の解除動作を示す非常用係合解除レバー及びスライド板の正面図、図１３はパネルの取り付け方法を示す広告表示部の側面断面図である。
【００１１】
図１に示す自動販売機は、前面に開口部を有する自動販売機本体１０と、幅方向一端側が自動販売機本体１０の開口部の幅方一端側に回転自在に連結され、自動販売機本体１０の開口部を開閉する外扉２０とを備えている。この自動販売機は、病院や公共施設等の屋内に設置されるものである。
【００１２】
自動販売機本体１０は、内部に収納された飲料及び食料等の商品を搬出するための図示しない商品搬出装置と、商品を冷却するための図示しない冷却装置を備えている。また、自動販売機本体１０の開口部の幅方向他端側には、開口部を閉鎖した状態の外扉２０の開放方向への回転を規制するための上下一対の扉開放規制手段としての扉係止部材１１が設けられている。各扉係止部材１１は、自動販売機本体１０の開口部の幅方向他端側から前方に突出するように設けられ、その上端側には外扉２０に設けられた後述するスライド板と係合可能な溝１１ａが設けられている。
【００１３】
外扉２０の前面には、自動販売機本体１０内に収納される商品のサンプルを展示するためのサンプル展示部２１、商品名またはブランド名等の広告を表示するための広告表示部２２、商品選択部２３、金額表示部２４、硬貨投入口２５、紙幣投入口２６、返却レバー２７、商品取出口２８、硬貨返却口２９が設けられている。広告表示部２２は、サンプル展示部２１の上方に設けられた開口部２２ａを広告が表示された合成樹脂製のパネル２２ｂによって閉鎖することにより設けられ、その内部に図示しない蛍光灯などの照明器具が設けられている。また、外扉２０の前面の幅方向他端側には、外扉２０を開放するためのハンドル３０が設けられ、ハンドル３０には錠３１が設けられている。このハンドル３０は、錠３１を解錠することにより前方に突出するようになっており、前方に突出した状態で操作できるようになっている。
【００１４】
外扉２０の内部には、扉係止部材１１と係合することにより外扉２０の開放方向への回転を規制するための扉開放規制手段としてのスライド板３２と、ハンドル３０に連結され、スライド板３２と扉係止部材１１との係合を解除する方向にスライド板３２を移動させるための規制解除部材としての係合解除部材３３と、係合解除部材３３を回転させることなくスライド板３２と扉係止部材１１との係合を解除する方向にスライド板３２を移動させるための非常用規制解除部材としての非常用係合解除レバー３４とが設けられている。
【００１５】
スライド板３２は、幅方向両側をそれぞれ略直角に屈曲することにより形成された上下に延びる板状部材からなり、外扉２０の幅方向他端側に上下方向に移動自在に設けられている。スライド板３２には、上縁部が各扉係止部材１１の溝１１ａと係合可能に設けられた上下一対の係止孔３２ａが形成されている。また、スライド板３２には、ハンドル３０に連結された係合解除部材３３の端部が挿入される第１の規制解除孔３２ｂが上下方向に延びるように設けられ、第１の規制解除孔３２ｂの上部には、係合解除部材３３が下方から当接可能な第１の当接片３２ｃが設けられている。更に、スライド板３２には、非常用係合解除レバー３４の一端部を挿入可能な第２の規制解除孔３２ｄが上下方向に延びるように設けられ、第２の規制解除孔３２ｄの上部には、非常用係合解除レバー３４の一端部が下方から当接可能な第２の当接片３２ｅが設けられている。
【００１６】
係合解除部材３３は、ハンドル３０の後端側からスライド板３２の第１の規制解除孔３２ｂの方向に延びるように設けられている。係合解除部材３３の端部は、第１の当接片３２ｃの下方に位置し、ハンドル３０の回転によって第１の当接片３２ｃに下方から当接するようになっている。
【００１７】
非常用係合解除レバー３４は、外扉２０内の広告表示部２２とスライド板３２との間に設けられた第１の側板３５に回転自在に連結されている。非常用係合解除レバー３４は、一端側に操作部３４ａが設けられ、操作部３４ａを広告表示部側から操作できるようになっている。非常用係合解除レバー３４は、他端側に当接部３４ｂが設けられ、当接部３４ｂが第２の規制解除孔３２ｄに設けられた第２の当接片３２ｅに下方から当接可能となっている。また、第１の側板３５の広告表示部２２側には第２の側板３６が設けられ、第２の側板３６には、非常用係合解除レバー３４を収納するための長孔３６ａが設けられている。非常用係合解除レバー３４は、広告表示部２２側から粘着テープ３６ｂを第２の側板３６に貼付けることにより、両端部を上下に向けた状態で長孔３６ａ内に収納可能となっている。
【００１８】
また、広告表示部２２のパネル２２ｂは、外部から非常用係合解除レバー３４を操作可能な状態とするために、パネル支持手段として開口部２２ａを開放可能に取付けられている。パネル２２ｂは、上下寸法が開口部２２ａの上下寸法よりも大きく形成され、開口部２２ａの背面側に取付けられている。
【００１９】
パネル２２ｂの上端側は、当接部材としての第１のパネル押え部材３７によって開口部２２ａの上方の部材に押し付けられて支持されている。第１のパネル押え部材３７は、開口部２２ａの幅方向に亘って延びる部材からなり、上端側が開口部２２ａの上方を幅方向に延びる支軸３７ａに回転自在に連結され、下端側がパネル２２ｂの背面側に当接可能となっている。また、第１のパネル押え部材３７は、支軸３７ａに巻き掛けられた付勢部材としてのコイルバネ３７ｂによって下端側が前方に回転する方向に付勢されている。
【００２０】
パネル２２ｂの下端側は、パネル受け部としてのパネル受け部材３８によって下方から支持されるとともに、当接部材としての第２のパネル押え部材３９によって開口部２２ａの下方の部材に押し付けられて支持されている。パネル受け部材３８は、開口部２２ａの幅方向に延びる部材からなり、上面側がパネル２２ｂの下端側を受ける溝状に形成されている。第２のパネル押え部材３９は、開口部２２ａの幅方向に延びる部材からなり、後端側がネジ３９ａによってパネル受け部材３８の背面側に前後に移動自在に連結され、前端側がパネル２２ｂの背面側に当接可能となっている。また、第２のパネル押え部材３９を連結するネジ３９ａの頭と第２のパネル押え部材３９との間には付勢部材としてのコイルバネ３９ｂが巻き掛けられ、コイルバネ３９ｂの付勢力によって第２のパネル押え部材３９がパネル受け部材３８に対して前方に付勢されるようになっている。
【００２１】
以上のように構成された自動販売機において、商品の補充やメンテナンス等の通常の使用により外扉２０を開放する場合には、まず、錠３１を解錠してハンドル３０を操作する。これにより、ハンドル３０と共に回転する係合解除部材３３は、第１の当接片３２ｃと接触してスライド板３２を上方に押し上げ、扉係止部材１１とスライド板３２との係合を解除する。次に、そのままハンドル３０を前方に向かって引くことにより外扉２０が開放される。
【００２２】
また、大規模な災害等が発生し、自動販売機本体１０内の飲料及び食料を速やかに被災者に提供する必要が生じた場合には、まず、広告表示部２２のパネル２２ｂに前面から後方に向かって所定の力を加える。これにより、パネル２２ｂは、コイルバネ３７ｂの付勢力に抗して第１のパネル押え部材３７を後方に回転させるとともに、コイルバネ３９ｂの付勢力に抗して第２のパネル押え部材３９を後方に移動させて開口部２２ａから外される。次に、パネル２２ｂが外されて開放された開口部２２ａから手を挿入して粘着テープ３６ｂを剥がし、第２の側板３６の長孔３６ａに収納された非常用係合解除レバー３４の操作部３４ａを引出して下方に回転させる。これにより、非常用係合解除レバー３４の当接部３４ｂは、第２の当接片３２ｅと接触してスライド部材３２を上方に押し上げ、扉係止部材１１とスライド部材３２との係合を解除する。そして、そのまま非常用係合解除レバー３４を前方に向かって引くことにより外扉２０が開放される。
【００２３】
また、非常用係合解除レバー３４を使用して外扉２０を開放した後、通常の販売状態に復旧する場合には、まず、非常用係合解除レバー３４の操作部３４ａを、上方に回転させ、第２の側板３６の長孔３６ａ内に位置する状態で粘着テープ３６ｂによって固定する。次に、第１のパネル押え部材３７の下端側を後方に回転させた状態で、パネル２２ｂをパネル受け部材３８に載せて開口部２２ａの背面側に配置し、第１のパネル押え部材３７及び第２のパネル押え部材３９によってパネル２２ｂを開口部２２ａの背面側に取り付ける。
【００２４】
このように、本実施形態の自動販売機によれば、非常用係合解除レバー３４を外部から操作するために、開口部２２ａが開放するようにパネル２２ｂを移動可能に支持するようにしたので、パネル２２ｂを破損させることなく開口部２２ａを開放して開口部２２ａから非常用係合解除レバー３４を操作することができ、非常用係合解除レバー３４によって外扉２０を開放した後の復旧作業を容易に行うことが可能となる。
【００２５】
また、パネル２２ｂの上端側を外扉２０の内側に移動させることによりパネル２２ｂと第１のパネル押え部材３７との係合を解除可能に設け、パネル２２ｂの下端側を下方から支持するようにしたので、パネル２２ｂの上端側を外扉２０の内側に押込むことによりパネル２２ｂの上端側の係合を解除して開口部２２ａを開放することができ、開口部２２ａの開放を容易に行うことが可能となる。
【００２６】
また、パネル２２ｂの背面側に外扉２０の内側から当接可能な第１のパネル押え部材３７と、第１のパネル押え部材３７の下端側を外扉２０の内側から外側に付勢するコイルバネ３７ｂとからパネル２２ｂの上端側を支持するようにしたので、簡単な構成によってパネル２２ｂを破損させることなく開口部２２ａを開放することができるとともに、容易にパネル２２ｂを取付けることができ、製造コストの低減を図ることが可能となる。
【００２７】
また、パネル２２ｂの下端側を下方から支持するパネル受け部材３８と、パネル２２ｂの背面側に外扉２０の内側から当接可能な第２のパネル押え部材３９と、第２のパネル押え部材３９を外扉２０の内側から外側に向かって付勢するコイルバネ３９ｂとからパネル２２ｂの下端側を支持するようにしたので、パネル２２ｂの上端側を外扉２０の内側に押込むことにより、パネル２２ｂの下端側をコイルバネ３９ｂの付勢力に抗して後方に移動させることができ、パネル２２ｂの変形や破損を防止することが可能となる。
【００２８】
図１４は本発明の第２の実施形態を示すもので、図１４（ａ）は広告表示部の側面断面図、図１４（ｂ）はパネルの取り付け方法を示す広告表示部の側面断面図である。尚、前記実施形態と同様の構成部分には同一の符号を付して示す。
【００２９】
この自動販売機は、パネル支持手段としてパネル２２ｂの下端側がパネル受け部材４０によって支持されている。
【００３０】
パネル受け部材４０は、上部にパネル２２ｂの下端側を挿入可能な溝４０ａが設けられ、下端側が開口部の２２ａの下方に位置する外扉２０の内側に蝶番４０ｂを介して連結されている。
【００３１】
以上のように構成された自動販売機において、広告表示部２２の開口部２２ａを開放する場合には、パネル２２ｂに前面から後方に向かって所定の力を加える。これにより、パネル２２ｂは、コイルバネ３７ｂの付勢力に抗して第１のパネル押さえ部材３９を後方に回転させるとともに、パネル受け部材４０を後方に回転させて開口部２２ａから外される。この後、前記第１の実施形態と同様に、開口部２２ａを介して非常用係合解除レバー３４を操作することにより外扉２０が開放される。
【００３２】
また、非常用係合解除レバー３４を使用して外扉２０を開放した後、通常の販売状態に復旧する場合には、まず、非常係合解除レバー３４の操作部３４ａを、上方に回転させ、第２の側板３６の長孔３６ａ内に位置する状態で粘着テープ３６ｂによって固定する。次に、第１のパネル押さえ部材３７の下端側を後方に回転させて状態で、パネル２２ｂの下端側をパネル受け部材４０の溝４０ａに挿入し、パネル２２ｂを開口部２２ａの背面側に配置して第１のパネル押さえ部材３７によってパネル２２ｂを開口部２２ａの背面側に取り付ける。
【００３３】
このように、本実施形態の自動販売機によれば、外扉２０の内側に回転自在に支持され、パネル２２ｂの下端側を挿入可能なパネル受け部材４０によってパネル２２ｂの下端側を支持するようにしたので、パネル２２ｂの上端側を外扉２０の内側に押し込むことにより、パネル２２ｂの下端側を後方に回転させることができ、パネル２２ｂの変形や破損を防止することが可能となる。
【００３４】
図１５及び図１６は本発明の第３の実施形態を示すもので、図１５は広告表示部の側面断面図、図１６は開口部の開放動作を示す自動販売機の要部正面図である。尚、前記実施形態と同様の構成部分には同一の符号を付して示す。
【００３５】
この自動販売機は、開口部２２ａが設けられた外扉２０の面に沿ってスライド自在にパネル２２ｂの上端側及び下端側をそれぞれ支持する上下一対のパネル支持手段としての支持部材４１，４２を備えている。また、パネル２２ｂの幅方向の寸法は、開口部２２ａの幅方向の寸法と略同一の寸法に形成されている。
【００３６】
各支持部材４１，４２は、それぞれ外扉２０の幅方向に延びる部材からなり、パネル２２ｂの端部をスライド自在に支持する溝４１ａ，４２ａが設けられている。
【００３７】
以上のように構成された自動販売機において、広告表示部２２の開口部２２ａを開放する場合には、パネル２２ｂを開口部２２ａに対して左右方向に移動させ、開口部２２ａの非常用係合解除レバー３４側を開放する。この後、前記第１の実施形態と同様に、開口部２２ａを介して非常用係合解除レバー３４を操作することにより外扉２０が開放される。
【００３８】
また、非常用係合解除レバー３４を使用して外扉２０を開放した後、通常の販売状態に復旧する場合には、まず、非常用係合解除レバー３４の操作部３４ａを、上方に回転させて第２の側板３６の長孔３６ａ内に位置する状態で粘着テープ３６ｂによって固定する。次に、パネル２２ｂを開口部２２ａに対して移動させ、開口部２２ａを閉鎖する。
【００３９】
このように、本実施形態の自動販売機によれば、開口部２２ａが設けられた外扉２０の面に沿ってスライド自在にパネル２２ｂの上端側及び下端側をそれぞれ支持する上下一対の支持部材４１，４２を備えたので、パネル２２ｂを左右方向に移動させることにより開口部２２ａの非常係合解除レバー３４側を開放することができ、開口部２２ａの開放を容易に行うことが可能となる。
【００４０】
図１７は本発明の第４の実施形態を示すもので、図１７（ａ）は広告表示部の側面断面図、図１７（ｂ）はパネルの取り付け方法を示す広告表示部の側面断面図である。尚、前記実施形態と同様の構成部分には同一の符号を付して示す。
【００４１】
この自動販売機は、パネル支持手段として、パネル２２ｂの上端側を係止する第１の係止部材４３と、パネル２２ｂの下端側を係止する第２の係止部材４４とを備えている。
【００４２】
第１の係止部材４３は、開口部２２ａの上方を外扉２０の幅方向に延びる部材からなり、下面側にパネル２２ｂの上端を挿入可能な溝４３ａが設けられている。第２の係止部材４４は、開口部２２ａの下方を外扉２０の幅方向に延びる部材からなり、上面側にパネル２２ｂの下端を挿入可能な溝４４ａが設けられている。また、第１の係止部材４３及び第２の係止部材４４にパネル２２ｂを取り付けた状態において、パネル２２ｂの上端と第１の係止部材４３の溝４３ａの底部との間には、第２の係止部材４４の溝４４ａの深さ寸法よりも大きい隙間を有している。
【００４３】
以上のように構成された自動販売機において、広告表示部２２の開口部２２ａを開放する場合には、パネル２２ｂを開口部２２ａに対して上方に移動させてパネル２２ｂの下端と第２の係止部材４４との係合を解除し、パネル２２ｂを開口部２２ａから外す。この後、前記第１の実施形態と同様に、開口部２２ａを介して非常用係合解除レバー３４を操作することにより外扉２０が開放される。
【００４４】
また、非常用係合解除レバー３４を使用して外扉２０を開放した後、通常の販売状態に復旧する場合には、まず、非常用係合解除レバー３４の操作部３４ａを、上方に回転させ、第２の側板３６の長孔３６ａ内に位置する状態で粘着テープ３６ｂによって固定する。次に、パネル２２ｂの上端側を第１の係止部材４３の溝４３ａに係合させた状態でパネル２２ｂの下端側を第２の係止部材４４の溝４４ａに係合させることにより、パネル２２ｂが開口部２２ａの背面側に取り付けられる。
【００４５】
このように、本実施形態の自動販売機によれば、パネル２２ｂの上下両端を係止するように設けられ、パネル２２ｂを上方に移動させることによりパネル２２ｂとの係合を解除可能な第１の係止部材４３及び第２の係止部４４によってパネル２２ｂを開口部２２ａに取り付けるようにしたので、パネル２２ｂを上方に移動させることによりパネル２２ｂの下端側の係合を解除して開口部２２ａを開放することができ、開口部２２ａの開放を容易に行うことが可能となる。
【図面の簡単な説明】
【００４６】
【図１】本発明の第１の実施形態を示す自動販売機の全体斜視図
【図２】外扉の開閉動作を示す自動販売機の全体斜視図
【図３】係合解除部材及びスライド板を示す要部正面図
【図４】係合解除部材及びスライド板を示す要部側面断面図
【図５】非常用係合解除レバー及びスライド板を示す要部正面断面図
【図６】非常用係合解除レバー及びスライド板を示す要部側面断面図
【図７】非常用係合解除レバーの収納状態を示す自動販売機の要部斜視図
【図８】広告表示部の側面断面図
【図９】ハンドルによる扉係止部材とスライド板との係合の解除動作を示す係合解除部材及びスライド板の要部正面図
【図１０】広告表示部の開口部を開放する動作を示す要部側面断面図
【図１１】非常用係合解除レバーによる扉係止部材とスライド板との係合の解除動作を示す自動販売機の要部斜視図
【図１２】非常用係合解除レバーによる扉係止部材とスライド板との係合の解除動作を示す非常用係合解除レバー及びスライド板の正面図
【図１３】パネルの取り付け方法を示す広告表示部の側面断面図である。
【図１４】（ａ）本発明の第２の実施形態を示す広告表示部の側面断面図、（ｂ）パネルの取り付け方法を示す広告表示部の側面断面図
【図１５】本発明の第３の実施形態を示す広告表示部の側面断面図
【図１６】開口部の開放動作を示す自動販売機の要部正面図
【図１７】（ａ）本発明の第４の実施形態を示す広告表示部の側面断面図、（ｂ）パネルの取り付け方法を示す広告表示部の側面断面図
【符号の説明】
【００４７】
１０…自動販売機本体、１１…扉係止部材、２０…外扉、２２…広告表示部、２２ａ…開口部、２２ｂ…パネル、３２…スライド板、３３…係合解除部材、３４…非常用係合解除レバー、３７…第１のパネル押さえ部材、３７ａ…支軸、３７ｂ…コイルバネ、３８…パネル受け部材、３９…第２のパネル押さえ部材、３９ａ…ネジ、３９ｂ…コイルバネ、４０…パネル受け部材、４０ａ…溝、４０ｂ…蝶番、４１…支持部材、４１ａ…溝、４２…支持部材、４２ａ…溝、４３…第１の係止部材、４３ａ…溝、４４…第２の係止部材、４４ａ…溝。
【図１】
2008003845.tif 000003
【図２】
2008003845.tif 000004
【図３】
2008003845.tif 000005
【図４】
2008003845.tif 000006
【図５】
2008003845.tif 000007
【図６】
2008003845.tif 000008
【図７】
2008003845.tif 000009
【図８】
2008003845.tif 000010
【図９】
2008003845.tif 000011
【図１０】
2008003845.tif 000012
【図１１】
2008003845.tif 000013
【図１２】
2008003845.tif 000014
【図１３】
2008003845.tif 000015
【図１４】
2008003845.tif 000016
【図１５】
2008003845.tif 000017
【図１６】
2008003845.tif 000018
【図１７】
2008003845.tif 000019